【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
電子写真画像形成装置本体に着脱可能なプロセスカートリッジにおいて、
感光体ドラムと、
前記感光体ドラムの端部に設けられたカップリング部であって、前記感光体ドラムを回転させるための駆動力を前記プロセスカートリッジの外部から受けるための駆動力受け部を有するカップリング部と、
前記カップリング部とは独立して駆動力を前記プロセスカートリッジの外部から受けるためのギア歯を有するギア部と、
を有し、
前記ギア歯は前記プロセスカートリッジの外部に露出している露出部を有し、
前記露出部の少なくとも一部は、（ａ）前記感光体ドラムの軸線に面していて、かつ、（ｂ）前記感光体ドラムの軸線方向において前記駆動力受け部よりもさらに外側に位置しており、
前記感光体ドラムの軸線から前記露出部における前記ギア歯の歯先までを、前記軸線と直交する方向に沿って測った最短距離は、前記感光体ドラムの半径の９０パーセント以上かつ１１０パーセント以下であるプロセスカートリッジ。
【請求項２】
前記感光体ドラムの軸線から前記歯先まで前記軸線と直交する方向に沿って測った前記最短距離は、前記感光体ドラムの半径の９３パーセント以上かつ１０７パーセント以下である請求項１に記載のプロセスカートリッジ。
【請求項３】
前記ギア歯はハス歯である請求項１又は２に記載のプロセスカートリッジ。
【請求項４】
前記ギア歯は、前記感光体ドラムの軸線方向における外側から内側に向かうに従って、前記ギア部の回転方向に向かって傾いている請求項３に記載のプロセスカートリッジ。
【請求項５】
前記感光体ドラムの回転方向が反時計回りになるように見た際に、前記ギア歯は前記感光体ドラムの軸線方向における外側から内側に向かうに従って、反時計回りに傾いている請求項３または４に記載のプロセスカートリッジ。
【請求項６】
前記ギア歯は、前記感光体ドラムの軸線方向に沿って測ったその厚さが１ｍｍより短い平歯である請求項１又は２に記載のプロセスカートリッジ。
【請求項７】
前記駆動力受け部は前記感光体ドラムの軸線方向の外側から内側に向かうにつれて、前記感光体ドラムの回転方向に向けて傾く請求項１乃至６のいずれか１項に記載のプロセスカートリッジ。
【請求項８】
前記感光体ドラムに形成された潜像を現像すべく現像剤を担持するように構成された現像ローラを有する請求項１乃至７のいずれか１項に記載のプロセスカートリッジ。
【請求項９】
前記現像ローラは、前記ギア部が受けた前記駆動力によって回転するように構成された請求項８に記載のプロセスカートリッジ。
【請求項１０】
前記ギア部の回転方向が時計回りになるように見た際に、前記現像ローラの回転方向も時計回りになる請求項８又は９に記載のプロセスカートリッジ。
【請求項１１】
前記ギア部と前記現像ローラは同軸状に配置されている請求項８乃至１０のいずれか１項に記載のプロセスカートリッジ。
【請求項１２】
前記プロセスカートリッジは、前記現像ローラに設けられた現像ギアを有し、
前記現像ギアが前記ギア部を有する請求項８乃至１０のいずれか１項に記載のプロセスカートリッジ。
【請求項１３】
前記ギア部を有する駆動入力ギアと、
前記現像ローラに設けられた現像ギアと、
前記駆動入力ギアから前記現像ギアに駆動力を伝達する少なくとも１つのアイドラギアと、
を有する請求項８または９に記載のプロセスカートリッジ。
【請求項１４】
前記アイドラギアの数は奇数である請求項１３に記載のプロセスカートリッジ。
【請求項１５】
前記アイドラギアの数は１つである請求項１４に記載のプロセスカートリッジ。
【請求項１６】
前記ギア部と前記カップリング部の軸線間距離が可変に構成されている請求項１乃至１５のいずれか１項に記載のプロセスカートリッジ。
【請求項１７】
前記プロセスカートリッジは、
前記カップリング部を有する第１ユニットと、
前記ギア部を有する第２ユニットと、
を有し、
前記第２ユニットが前記第１ユニットに対して移動することで、前記ギア部と前記カップリング部の軸線間距離が変わる請求項１６に記載のプロセスカートリッジ。
【請求項１８】
前記第２ユニットは前記第１ユニットに対して回転移動可能に結合している請求項１７に記載のプロセスカートリッジ。
【請求項１９】
前記感光体ドラムの軸線に面し、少なくともその一部が前記感光体ドラムの軸線方向において前記カップリング部の前記駆動力受け部よりも外側に配置されているストッパを有する請求項１乃至１８のいずれか１項に記載のプロセスカートリッジ。
【請求項２０】
前記カップリング部と前記軸線方向における前記プロセスカートリッジの同じ側に設けられたストッパであって、前記感光体ドラムの軸線に面し、前記軸線方向における外側にせり出したストッパを有する請求項１乃至１８のいずれか１項に記載のプロセスカートリッジ。
【請求項２１】
前記ストッパは、少なくともその一部が前記感光体ドラムの軸線方向において前記カップリング部の先端よりも外側に配置されている請求項１９又は２０に記載のプロセスカートリッジ。
【請求項２２】
前記感光体ドラムの軸線と直交する平面において、前記感光体ドラムの中心から前記ギア部の中心に向かって延びる半直線に対して前記感光体ドラムの中心を原点として前記感光体ドラムの回転方向の上流側に向かって０°より大きく１８０°よりも小さい角度の範囲内に、前記ストッパが配置されている請求項１９乃至２１のいずれか１項に記載のプロセスカートリッジ。
【請求項２３】
前記感光体ドラムの軸線と直交する平面において、前記感光体ドラムの中心と前記ギア部の中心とを通る直線に対して、前記ストッパは前記感光体ドラムが前記プロセスカートリッジから露出する方向とは反対側に配置されている請求項１９乃至２２のいずれか１項に記載のプロセスカートリッジ。
【請求項２４】
前記プロセスカートリッジは、
前記感光体ドラムを帯電するための帯電部材を有し、
前記感光体ドラムの軸線と直交する平面において、前記感光体ドラムの中心と前記ギア部の中心とを通る直線に対して、前記ストッパは前記帯電部材と同じ側に配置されている請求項１９乃至２３のいずれか１項に記載のプロセスカートリッジ。
【請求項２５】
前記ギア部の正面圧力角をαとすると、
前記感光体ドラムの軸線に直交する平面において、前記感光体ドラムの中心から前記ギア部の中心に向かって延びる半直線を、前記感光体ドラムの中心を原点にして前記感光体ドラムの回転方向の上流側に向かって（９０＋α）度傾けた線をまたぐようにして、前記ストッパが配置されている請求項１９乃至２４のいずれか１項に記載のプロセスカートリッジ。
【請求項２６】
前記感光体ドラムの軸線に直交する平面において、前記感光体ドラムの中心から前記ギア部の中心に向かって延びる半直線に対して、前記感光体ドラムの中心を原点にして前記感光体ドラムの回転方向の上流側に向かって（７５＋α）度以上、（１０５＋α）度以下の範囲に、前記ストッパの少なくとも一部が配置されている請求項１９乃至２５のいずれか１項に記載のプロセスカートリッジ。
【請求項２７】
前記感光体ドラムの軸線と直交する平面において、前記感光体ドラムの中心から前記ストッパまでの距離は、前記感光体ドラムの中心から前記ギア歯の先端までの距離よりも長く、かつ、前記感光体ドラムの中心から前記ギア部の中心までの距離よりも短くなる請求項１９乃至２６のいずれか１項に記載のプロセスカートリッジ。
【請求項２８】
前記ストッパは下記の式を満たすように配置されている請求項１９乃至２７のいずれか１項に記載のプロセスカートリッジ。
ＢＦ＜ＢＢ
ただし、ＢＢは、前記感光体ドラムの軸線に直交する方向に沿って、前記感光体ドラムの軸線から前記ストッパまで測った距離である。ＢＦは、前記感光体ドラムの軸線と直交する方向に沿って、前記感光体ドラムの軸線から前記ギア部の歯先まで測った最短距離である。
【請求項２９】
前記ストッパは下記の式を満たすように配置されている請求項１９乃至２８のいずれか１項に記載のプロセスカートリッジ。
ＢＢ＜ＡＸ＋ＢＡ
ただし、ＢＢは、前記感光体ドラムの軸線に直交する方向に沿って、前記感光体ドラムの軸線から前記ストッパまで測った距離である。ＢＡは前記カップリング部に外接する最少の正三角形を、その正三角形の重心を前記感光体ドラムの軸線に一致させつつ描いたとき、その正三角形に内接する内接円の半径である。ＡＸは、前記感光体ドラムの軸線に直交する方向に沿って、前記感光体ドラムの軸線から前記ギア部の歯底まで測った距離である。
【請求項３０】
前記ストッパは下記の式を満たすように配置されている請求項１９乃至２７のいずれか１項に記載のプロセスカートリッジ。
ＢＨ＜ＢＧ
ただし、ＢＧは前記感光体ドラムの軸線と直交する方向に沿って測った、前記感光体ドラムの軸線からストッパまでの距離である。ＢＨはカップリング部に外接する最少の正三角形を、その正三角形の重心を前記感光体ドラムの軸線に一致させつつ描いたとき、その正三角形に内接する内接円の半径である。
【請求項３１】
前記ストッパは下記の式を満たすように配置されている請求項１９乃至２７および請求項３０のいずれか１項に記載のプロセスカートリッジ。
ＢＪ＜ＢＧ
ただしＢＧは前記感光体ドラムの軸線と直交する方向に沿って測った、前記感光体ドラムの軸線からストッパまでの距離である。ＢＪは前記感光体ドラムの軸線と直交する方向に沿って測った、前記感光体ドラムの軸線からギア部の歯先までの最短距離である。
【請求項３２】
前記ストッパは下記の式を満たすように配置されている請求項１９乃至２７、請求項３０、および請求項３１のいずれか１項に記載のプロセスカートリッジ。
ＢＧ＜ＢＫ
ただし、ＢＧは前記感光体ドラムの軸線と直交する方向に沿って測った、前記感光体ドラムの軸線からストッパまでの距離である。ＢＫは、前記感光体ドラムの軸線と直交する方向に沿って測った、前記感光体ドラムの軸線からギア部の軸線までの距離である。
【請求項３３】
前記ストッパは下記の式を満たすように配置されている請求項１９乃至２７および請求項３０乃至３２のいずれか１項に記載のプロセスカートリッジ。
ＢＧ＜ＢＬ
ただし、ＢＧは前記感光体ドラムの軸線と直交する方向に沿って測った、前記感光体ドラムの軸線からストッパまでの距離である。ＢＬは、前記カップリング部に外接する最少の外接円を前記感光体ドラムと同軸状に描いたとき、その外接円の半径である。
【請求項３４】
前記ストッパは、前記感光体ドラムの軸線側に開いた湾部を形成する請求項１９乃至３３のいずれか１項に記載のプロセスカートリッジ。
【請求項３５】
前記ストッパは、前記感光体ドラムの軸線側に開いた曲面である請求項１９乃至３４のいずれか１項に記載のプロセスカートリッジ。
【請求項３６】
前記ストッパは、互いに離れた複数の部分で形成されている請求項１９乃至３５のいずれか１項に記載のプロセスカートリッジ。
【請求項３７】
前記感光体ドラムの軸線に、前記ギア部と前記ストッパとを投影すると、互いの投影領域の少なくとも一部が重なる請求項１９乃至３６のいずれか１項に記載のプロセスカートリッジ。
【請求項３８】
前記感光体ドラムの軸線に垂直な平面において、前記感光体ドラムの中心から前記ストッパまでの距離は１２．７１５ｍｍより大きく１４．２６２ｍｍより小さい請求項１９乃至３７のいずれか１項に記載のプロセスカートリッジ。
【請求項３９】
前記感光体ドラムの軸線に垂直な平面において、前記感光体ドラムの中心から前記ストッパまでの距離は７．０５ｍｍより大きく８．７５ｍｍより小さい請求項１９乃至３８のいずれか１項に記載のプロセスカートリッジ。
【請求項４０】
前記プロセスカートリッジは、
前記感光体ドラムを帯電するための帯電部材を有し、
前記感光体ドラムの軸線と直交する平面において、前記感光体ドラムの中心から前記帯電部材の中心に向かって延びる半直線に対して前記感光体ドラムの中心を原点として前記感光体ドラムの回転方向の下流側に向かって６４°より大きく１９０°よりも小さい角度の範囲内に、前記ギア部の中心が配置されている請求項１乃至３９のいずれか１項に記載のプロセスカートリッジ。
【請求項４１】
前記ギア部が受けた前記駆動力によって現像剤を撹拌するように構成された撹拌部材を有する請求項１乃至４０のいずれか１項に記載のプロセスカートリッジ。
【請求項４２】
前記カップリング部は、凸部である請求項１乃至４１のいずれか１項に記載のプロセスカートリッジ。
【請求項４３】
前記カップリング部は、実質的な三角柱を捻じって形成されている請求項１乃至４２のいずれか１項に記載のプロセスカートリッジ。
【請求項４４】
前記露出部を通り前記感光体ドラムの軸線と垂直な前記プロセスカートリッジの断面において、前記感光体ドラムの中心から前記ギア歯の先端までの最短の距離を半径とする仮想円を前記感光体ドラムと同軸状に描くと、前記仮想円の内部は空間である請求項１乃至４３のいずれか１項に記載のプロセスカートリッジ。
【請求項４５】
前記感光体ドラムの軸線方向において前記カップリング部と前記プロセスカートリッジの同じ側に設けられ、前記感光体ドラムの軸線方向の内側に向かって突出している被位置決め部を有し、
前記被位置決め部および前記感光体ドラムを、前記感光体ドラムの軸線に投影すると互いの投影領域が少なくとも一部重なっている請求項１乃至４４のいずれか１項に記載のプロセスカートリッジ。
【請求項４６】
前記感光体ドラムの軸線方向において前記カップリング部と前記プロセスカートリッジの同じ側に設けられ、前記感光体ドラムの軸線方向の内側に向かって突出している被位置決め部と、
前記カップリング部が設けられて前記感光体ドラムの端部に取り付けられたカップリング部材と、
を有し、
前記被位置決め部および前記カップリング部材を、前記感光体ドラムの軸線に投影すると互いの投影領域が少なくとも一部重なっている請求項１乃至４５のいずれか１項に記載のプロセスカートリッジ。
【請求項４７】
前記感光体ドラムの軸線方向において前記カップリング部と前記プロセスカートリッジの同じ側に設けられたスリットを有する請求項１乃至４６のいずれか１項に記載のプロセスカートリッジ。
【請求項４８】
前記軸線方向において前記スリットの内側端部は前記ギア部の外側端部よりも内側に配置され、前記スリットの外側端部は前記カップリング部の先端部よりも外側に配置される請求項４７に記載のプロセスカートリッジ。
【請求項４９】
電子写真画像形成装置本体と、
請求項１乃至４８のいずれか１項に記載のプロセスカートリッジと、
を有する電子写真画像形成装置。
【手続補正２】
【補正対象書類名】明細書
【補正対象項目名】００１２
【補正方法】変更
【補正の内容】
【００１２】
本出願に係る代表的な構成は、
電子写真画像形成装置本体に着脱可能なプロセスカートリッジにおいて、
感光体ドラムと、
前記感光体ドラムの端部に設けられたカップリング部であって、前記感光体ドラムを回転させるための駆動力を前記プロセスカートリッジの外部から受けるための駆動力受け部を有するカップリング部と、
前記カップリング部とは独立して駆動力を前記プロセスカートリッジの外部から受けるためのギア歯を有するギア部と、
を有し、
前記ギア歯は前記プロセスカートリッジの外部に露出している露出部を有し、
前記露出部の少なくとも一部は、（ａ）前記感光体ドラムの軸線に面していて、かつ、（ｂ）前記感光体ドラムの軸線方向において前記駆動力受け部よりもさらに外側に位置しており、
前記感光体ドラムの軸線から前記露出部における前記ギア歯の歯先までを、前記軸線と直交する方向に沿って測った最短距離は、前記感光体ドラムの半径の９０パーセント以上かつ１１０パーセント以下であるプロセスカートリッジである。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】